(57)【要約】      （修正有） 【課題】固形燃料を使用する小型の簡易コンロでは、固形燃料を使い切りとしてしまうので、この無駄が大きい。この燃料の無駄を無くす省エネとなる五徳を提供する。【解決手段】筒状で、水封二重構造の水室１１に形成した本体に、注排水部（注排水管２ａ，２ｂ）を設けた、コンロ内に固形燃料を収めて点火し、注排水口２２ａ，２２ｂの何れかから水室１１に水を注ぎ入れ、コンロ上に載置して、鍋や釜等の載せ台として使用し、調理中に水室１１内の水が温められ、調理後に温められた温水はそのまま利用することができる。【選択図】図１
0003209899.tif 000002
【実用新案登録請求の範囲】
【請求項１】
筒状で、水封二重構造の水室に形成した本体に、注排水部を設けたことを特徴とする五徳。
【請求項２】
上下開口径を相違させてなる請求項１記載の五徳。
【請求項３】
注排水部を、本体の水室下端と連結して注排水口を水室上端面と一致させた注排水管を、上下逆転して一対設けてなる請求項１又は２記載の五徳。
【請求項４】
底面開口縁に伸縮自在とした蛇腹状の高さ調整部を設けてなる請求項１記載の五徳。
【請求項５】
本体外周面を断熱材で被覆してなる請求項１乃至４記載の何れかの五徳。
【考案の詳細な説明】
【技術分野】
【０００１】
本考案は、卓上や屋外で使用する小型簡易コンロに使用する五徳に関するものである。
【背景技術】
【０００２】
一人用或いは二人用程度の小型調理器具を使用して卓上などで調理する際には、小型コンロを用い、一回分に必要なアルコール系或いはパラフィン系の使い捨て固形燃料を使用して調理を行っている。
【０００３】
前記の小型コンロは、珪藻土製、素焼き製、金属鋳物製等で、容器状で下方に空気導入口を設け、上方縁部に抉り部を形成し、或いは非円形形状として、鍋を載置した状態における燃焼ガスの放出口としているものである。
【０００４】
一般的な五徳は、火元から鍋などの調理器具を離して載置するために使用するものであるが、枠状載置部と脚部で構成され、脚部間が間隙に形成されている。前記のような小型コンロに、五徳を使用する例も知られている（特許文献１）。また特にアウトドア用の五徳は風防機能を備えるように、コンロの周囲を囲繞する風除板で形成したものが知られている（特許文献２，３）。
【先行技術文献】
【特許文献】
【０００５】
【特許文献１】特開２００３−２１３３６号公報。
【特許文献２】特開平１１−２２６１５０号公報。
【特許文献３】登録実用新案３１４３１６２号公報。
【考案の概要】
【考案が解決しようとする課題】
【０００６】
従前の五徳は脚間に間隙を有しているので、当該間隙から燃焼ガスが外気に放出される。しかもこの大量の放出される燃焼ガスは、熱エネルギーの無駄となる。特に固形燃料を使用する小型の簡易コンロでは、固形燃料を使い切りとしてしまうので、この無駄が大きいものとなる。更に風防機能を備えた五徳においても、当該風除板が熱くなり、燃焼個所の熱を外部に放散してしまい、熱効率の点で問題がある。
【０００７】
そこで本考案は、燃料の無駄を無くす新規な五徳を提案したものである。
【課題を解決するための手段】
【０００８】
本考案の請求項１記載に係る五徳は、筒状で、水封二重構造の水室に形成した本体に、注排水部を設けたことを特徴とするもので、コンロ内に固形燃料を収めて点火し、注排水口から水室に水を注ぎ入れた五徳をコンロ上に載置して、鍋や釜等の載せ台として使用するもので、調理中に水室内の水が温められ、調理後に温められた温水はそのまま利用することができ、使い切りの固形燃料を有効に使用することができる。
【０００９】
また本考案の請求項２記載に係る五徳は、上下開口径を相違させてなるもので、使用する鍋や釜の大きさに対応して上下逆転させて使用することで、鍋底と五徳上縁を密着させて、燃焼ガスが逃げないようにして熱の有効利用を図るものである。
【００１０】
また本考案の請求項３記載に係る五徳は、注排水部を、本体の水室下端と連結して注排水口を水室上端面と一致させた注排水管を、上下逆転して一対設けてなるもので、上方に開口した一方の注排水管の管口（注排水口）から注水し、また排水して使用する。
【００１１】
また本考案の請求項４記載に係る五徳は、底面開口縁に伸縮自在とした蛇腹状の高さ調整部を設けてなるもので、固形燃料の規格、コンロの高さなどに応じて加熱源と鍋・釜との距離を調整して調理加熱調節が可能となるものである。
【００１２】
また本考案の請求項５記載に係る五徳は、本体外周面を断熱材で被覆してなるもので、温水が充たされている状態でも手での持ち運びが可能となる。
【考案の効果】
【００１３】
本考案の構成は上記のとおりで、水封二重構造の水室に形成した筒状の本体を具備することで、使用時に水室内に注水し、コンロでの調理終了後には、お湯として使用できるもので、便利である。また特に使い切りの固形燃料を使用するコンロ等においては、燃料を無駄なく使用できることになる。
【図面の簡単な説明】
【００１４】
【図１】本考案の第一実施形態の断面図。
【図２】同使用状態の説明図。
【図３】同第二実施形態の一部切断正面図。
【考案を実施するための形態】
【００１５】
次に本考案の実施形態について説明する。図１及び図２は第一実施形態を示すもので、本体１に注排水管（注排水部）２を設けたものである。
【００１６】
本体１は、薄金属板で形成した筒状二重構造で、内部を水室１１として、上方開口径ａと下方開口径ｂが相違する円錐台筒状で、上下開口縁に必要に応じて排気用凹部１２を設けたものである。
【００１７】
注排水管２ａ，２ｂは、左右対称位置に上下逆転する形状に設けたもので、一方の注排水管２ａは、水室１１の下端に連通部２１ａで連結し、管端は水室１１の上端面と一致させた注排水口２２ａとし、他方の注排水管２ｂは、水室１１の上端に連通部２１ｂで連結し、管端は水室１１の下端面と一致させた注排水口２２ｂとしたものである。
【００１８】
また前記の注排水管２ａ，２ｂは、中間部分が本体１の外周面から離れ、当該箇所に断熱材を巻装して取っ手部２３ａ，２３ｂとしたものである。
【００１９】
而して前記の五徳は、固形燃料を燃焼させる小型簡易コンロＡに使用するものであり、特に小型簡易コンロＡは、皿状の燃焼室体０１の外周に適宜間隔を有して周設した外周壁０２を備え、外周壁０２の燃焼用空気の取入口０３と燃焼室体０１の空気口０４が互いに対面しない位置に形成した扁平構造のものが適しており、前記コンロＡの燃焼室の上方に載置して、鍋・釜等の調理器具Ｂの載せ台とするものである。
【００２０】
特に使用に際しては、上方に開口した一方の注排水管２ａの注排水口２２ａから注水して使用するもので、水位が他方の連通部２１ｂの高さになるまで注水しておくもので、コンロＡ内に固形燃料を収めて点火して調理に供すると、調理中に水室１１内の水が温められ、調理後には、取っ手部２３ｂを保持して傾けると、注排水口２２ａから温められた温水が排出され、そのまま利用することができるものである。
【００２１】
また上記五徳は上下逆転させて使用することができ、逆転して使用した際も前記の左右の注排水管２ａ，２ｂの作用が逆になるのみで、その使用手段は変わらないが、鍋・釜等の調理容器Ｂを載置する開口部の径が相違し、調理容器Ｂに適する開口側を選択して使用することができる。
【００２２】
図３は、第二実施形態を示すもので、本体３に注排水部４を設けたもので、本体３は、薄金属板で形成した筒状二重構造で内部を水室３１とし、上部開口縁に必要に応じて排気用凹部３２を設け、外周面全体を断熱材３３で被覆してなるものである。
【００２３】
注排水部４は、本体上面に前記水室３１と連通するもので、嘴状の注ぎ口形状に形成したもので、必要に応じて栓体４１を付設する。
【００２４】
また本実施形態は、特に本体３の底面開口縁に伸縮自在とした蛇腹状の高さ調整部５を設けてなるもので、固形燃料の規格、コンロの高さなどに応じて加熱源と鍋・釜との距離を調整して調理加熱調節が可能としたものである。
【００２５】
この第二実施形態も第一実施形態同様に、水室３１に水を満たして使用すると、調理終了後には、温水を利用できるもので、本体３の外周面を断熱材３３で被覆してなり、調理直後でも本体を保持して持ち運びや、お湯を器に注ぎ入れることも容易に行えるものである。
【符号の説明】
【００２６】
１，３      本体
１１，３１    水室
１２，３２    排気用凹部
２ａ，２ｂ    注排水管
２１ａ，２１ｂ    連通部
２２ａ，２２ｂ    注排水口
２３ａ，２３ｂ    取っ手部
３３      断熱材
４      注排水部
４１    栓体
５      高さ調整部
【図１】
0003209899.tif 000003
【図２】
0003209899.tif 000004
【図３】
0003209899.tif 000005